(57)【特許請求の範囲】
【請求項１】
駐車場を利用する車両を検出する検出部と、
前記検出部による検出結果に基づいて、前記駐車場が混雑状態であるか否かを判定する判定部と、
前記判定部による判定結果に基づいて、前記駐車場内における所定数の空車スペースを選択する選択部と、
前記所定数の空車スペースを示す画像を表示する表示部と、を備え、
前記選択部は、前記判定部により前記駐車場が混雑状態であると判定された場合、複数の車両通路に応じた複数の駐車ブロックのうち、空車スペースを有し、かつ、前記駐車場の駐車場入口と異なる位置に設けられた施設入口により近い駐車ブロックである第１の駐車ブロック
において、前記車両通路の進行方向に向かって奥側から空車スペースを選択する、
駐車場誘導システム。
【請求項２】
前記選択部は、前記判定部により前記駐車場が混雑状態でないと判定された場合、前記施設入口に近い方から前記空車スペースを選択する、
請求項１に記載の駐車場誘導システム。
【請求項３】
前記選択部は、前記判定部により判定された混雑状態に応じて前記所定数を決定する、
請求項１または２に記載の駐車場誘導システム。
【請求項４】
前記選択部は、前記第１の駐車ブロックにおいて、空車スペースの数が基準以下の場合、前記第１の駐車ブロックの中から前記所定数より少ない数の空車スペースを選択すると共に、前記第１の駐車ブロックとは異なる前記駐車ブロックの中から残りの数の空車スペースを選択する、
請求項３に記載の駐車場誘導システム。
【請求項５】
前記検出部は、前記駐車場入口に所定時間内に存在する車両の数を検出し、
前記判定部は、前記検出部の検出結果に基づいて、前記駐車場入口に基準以上の連続した車両を検出した場合、前記駐車場が混雑状態であると判定する、
請求項１から４のうちいずれか１項に記載の駐車場誘導システム。
【請求項６】
前記検出部は、前記駐車ブロックの車両の数を検出し、
前記判定部は、前記検出部の検出結果に基づいて、前記駐車ブロックの駐車率が所定値以上の場合、前記駐車場が混雑状態であると判定する、
請求項１から５のうちいずれか１項に記載の駐車場誘導システム。
【請求項７】
前記検出部は、前記駐車場入口から前記駐車場内に入る単位時間当たりの車両の数を検出し、
前記判定部は、前記検出部の検出結果に基づいて、前記単位時間当たりの車の台数が所定台数以上の場合、前記駐車場が混雑状態であると判定する、
請求項１から６のうちいずれか１項に記載の駐車場誘導システム。
【請求項８】
前記検出部は、前記駐車場の複数の駐車スペースと、前記駐車ブロックと、前記駐車スペースの混雑状態でない平常時の優先順位と、混雑状態の優先順位と、車両の有無等の情報とが対応付けられたテーブルを検出結果に基づいて所定のタイミングで更新し、
前記判定部は、前記テーブルを参照して前記駐車場が混雑状態であるか否かを判定し、
前記選択部は、前記判定部による判定結果に基づいて、前記テーブルを参照して前記優先順位に従って前記空車スペースを選択する、
請求項１から７のうちいずれか１項に記載の駐車場誘導システム。
【請求項９】
駐車場を利用する車両を検出し、
検出結果に基づいて、前記駐車場が混雑状態であるか否かを判定し、
前記駐車場が混雑状態であると判定した場合、前記混雑状態に基づいて、複数の車両通路に応じた複数の駐車ブロックの中から、前記駐車場の駐車場入口と異なる位置に設けられた施設入口からの距離が近い順に前記駐車ブロックを選択し、
選択した前記駐車ブロックに含まれる複数の空車スペースの中から前記車両通路の進行方向に向かって奥側から空車スペースを選択し、
選択した所定数の前記空車スペースを示す画像を表示する、
駐車場誘導方法。
【請求項１０】
駐車場を利用する車両を検出し、
前記車両の検出結果に基づいて、前記駐車場が混雑状態であるか否かを判定し、
前記駐車場が混雑状態であると判定した場合、複数の車両通路に応じた複数の駐車ブロックのうち、空車スペースを有し、かつ、前記駐車場の駐車場入口と異なる位置に設けられた施設入口により近い駐車ブロックである第１の駐車ブロックにおいて、前記車両通路の進行方向に向かって奥側から空車スペースを選択し、
選択した所定数の前記空車スペースを示す画像を表示する、
駐車場誘導方法。
【発明の詳細な説明】
【技術分野】
【０００１】
本発明は、駐車場誘導システムおよび駐車場誘導方法に関する。
【背景技術】
【０００２】
施設に併設された駐車場は、車両の入出を出入口で管理しているものが多い。このような駐車場において、利用者の車両が増加すると、駐車場内で車両の渋滞が発生する場合や、駐車場に接続する道路に待機する車両による道路交通への影響が発生する場合がある。このため、施設に併設される駐車場における円滑な交通誘導が求められる。これに関連して車両を駐車場内に効率的に駐車させるための技術が知られている。【０００３】
特許文献１には、駐車場から情報を取得し、駐車場と店舗等の施設に連絡する連絡路等と駐車区域との距離が近いものほど優先度が高い駐車区域と決定し、優先度が高い駐車区域から目的地として設定する車内用情報案内装置が記載されている。【０００４】
特許文献２には、駐車場の入口から最も奥側の空車スペースを指定駐車位置として番号を駐車券に印字して車両を案内する駐車場誘導システムが記載されている。【０００５】
特許文献３には、駐車スペースから駐車場の歩行者用出入口との移動距離が短いほど優先度を高く設定し、優先度が高い駐車スペースへの案内表示をする駐車場管理システムが記載されている。
【先行技術文献】
【特許文献】
【０００６】
【特許文献１】特開２００９−０６３５０４号公報
【特許文献２】特開２００４−１１８７０３号公報
【特許文献３】特開平７−２４９１９５号公報
【発明の概要】
【発明が解決しようとする課題】
【０００７】
施設に併設された駐車場では、車両が入口の近傍や施設へ通じる入口等の近傍に集中し、駐車場内あるいは駐車場入口で車両の渋滞が発生する。駐車場において、混雑時に空車スペースを探索することは困難であり、後続車が列を成すような混雑時においては交通渋滞の原因となる。【０００８】
しかし、駐車場内の交通渋滞のみを考慮して車両を誘導すると、誘導先は利用者の利便性が低下する駐車スペースであるという課題がある。【０００９】
特許文献１に記載された情報案内装置によれば、混雑時は、混雑した駐車区域の優先度を下げて、混雑していない駐車区域を案内するように構成されているため、混雑時の利用者の利便性が低下する場合がある。【００１０】
特許文献２に記載された駐車場誘導システムによれば、駐車場内で最も奥にある空車スペースを案内するため、利用者の利便性に欠けると共に、混雑時の駐車場内の交通が考慮されておらず、駐車場内に渋滞が発生する可能性がある。【００１１】
特許文献３に記載された駐車場管理システムによれば、利用者の利便性が考慮されているが、駐車場内の車両の流れについて考慮されておらず、利便性の高い駐車スペースに車両が集中し、駐車場内に渋滞が発生する可能性がある。【００１２】
本発明は、上記事情を考慮してなされたものであり、利用者の利便性を向上させるとともに、駐車場内での混雑を緩和させることができる駐車場誘導システムおよび駐車場誘導方法を提供することを目的としている。
【課題を解決するための手段】
【００１３】
上記課題を解決するため、本発明の一態様は、駐車場を利用する車両を検出する検出部と、前記検出部による検出結果に基づいて、前記駐車場が混雑状態であるか否かを判定する判定部と、前記判定部による判定結果に基づいて、前記駐車場内における所定数の空車スペースを選択する選択部と、前記所定数の空車スペースを示す画像を表示する表示部と、を備え、前記選択部は、前記判定部により前記駐車場が混雑状態であると判定された場合、複数の車両通路に応じた複数の駐車ブロックのうち、空車スペースを有し、かつ、前記駐車場の駐車場入口と異なる位置に設けられた施設入口により近い駐車ブロックである第１の駐車ブロック
において、前記車両通路の進行方向に向かって奥側から空車スペースを選択する、駐車場誘導システムである。【００１４】
また、本発明の一態様は、駐車場を利用する車両を検出し、検出結果に基づいて、前記駐車場が混雑状態であるか否かを判定し、前記駐車場が混雑状態であると判定した場合、前記混雑状態に基づいて、複数の車両通路に応じた複数の駐車ブロックの中から、前記駐車場の駐車場入口と異なる位置に設けられた施設入口からの距離が近い順に前記駐車ブロックを選択し、選択した前記駐車ブロックに含まれる複数の空車スペースの中から前記車両通路の進行方向に向かって奥側から空車スペースを選択し、選択した所定数の前記空車スペースを示す画像を表示する、駐車場誘導方法である。【００１５】
また、本発明の一態様は、駐車場を利用する車両を検出し、前記車両の検出結果に基づいて、前記駐車場が混雑状態であるか否かを判定し、前記駐車場が混雑状態であると判定した場合、複数の車両通路に応じた複数の駐車ブロックのうち、空車スペースを有し、かつ、前記駐車場の駐車場入口と異なる位置に設けられた施設入口により近い駐車ブロックである第１の駐車ブロックにおいて、前記車両通路の進行方向に向かって奥側から空車スペースを選択し、選択した所定数の前記空車スペースを示す画像を表示する、駐車場誘導方法である。
【発明の効果】
【００１６】
本発明によれば、利用者の利便性を向上させるとともに、駐車場内での混雑を緩和させることができる。
【図面の簡単な説明】
【００１７】
【図１】駐車場誘導システムの構成の一例を示すブロック図である。
【図２】駐車場のレイアウトの一例を示す図である。
【図３】駐車スペースと優先順位とが対応付けられたテーブルの一例を示す図である。
【図４】駐車スペースと施設入口との間の距離のデータが加えられたテーブルの一例を示す図である。
【図５】検出された駐車車両の有無が反映されたテーブルの一例を示す図である
【図６】駐車車両が存在する駐車場の状態の一例を示す図である。
【図７】駐車車両が存在する駐車場の空車スペースを示す映像コンテンツの一例を示す図である。
【図８】誘導処理の過程のテーブルの一例を示す図である。
【図９】誘導処理の過程の駐車場の状態の一例を示す図である。
【図１０】２つの駐車ブロックの空車スペースを示す映像コンテンツの一例を示す図である。
【図１１】駐車場誘導システムにおいて実行される処理の流れの一例を示すフローチャートである。
【発明を実施するための形態】
【００１８】
以下、図面を参照しつつ、本発明に係る駐車場誘導システム１の実施形態について説明する。
【００１９】
駐車場誘導システムは、例えば、施設等に併設された駐車場において、施設入口の付近に車両を誘導しつつ、駐車場における交通を円滑にするシステムである。図１は、駐車場誘導システム１の構成の一例を示すブロック図である。駐車場誘導システム１は、例えば、駐車場を利用する車両を感知する検出部１０と、検出部１０の判定結果に基づいて車両を誘導するための演算を行う配信サーバ２０と、配信サーバ２０の演算結果に基づいて車両を誘導するための表示を行う表示部３０とを備える。
【００２０】
検出部１０は、例えば、駐車場を利用する車両の混雑度合を検出するための複数のセンサを備える。複数のセンサは、例えば、駐車場における入口、出口、車両通路、各駐車スペースに設けられた車両を感知するセンサである。センサは、例えば、カメラ、音波センサ、光学式センサ、電磁界センサ等またはこれらを組合せて用いられる。センサは、駐車場の形態や取り付け場所に合わせて天井、路面等、所定の機器に設置される。検出部１０は、例えば、駐車場の入口において待機する車両の台数を検出する第１センサ１２を備える。
【００２１】
検出部１０は、この他に各駐車スペースにおいて車両を検出するための第２センサ１４を備える。第２センサは、例えば、駐車スペース内の車両の有無を検出する。第２センサは、例えば、駐車場が屋内の場合、駐車スペースの天井に設けられ、駐車場が屋外の場合、路面や路面から起立して設けられた筐体等に設けられる。第２センサは、高所に設けられたカメラによる画像解析に基づいて、複数の駐車スペースの車両の有無を検出するものであってもよい。
【００２２】
検出部１０は、この他、入口や出口において車両の出入りを検出するセンサ（不図示）や、駐車場内の車両通路において車両を検出するセンサ（不図示）が設けられる。検出部１０は、第１センサ１２と、第２センサ１４との検出結果を配信サーバ２０に出力する。
【００２３】
配信サーバ２０は、例えば、パーソナルコンピュータ（ＰＣ）等の端末装置により実現される。配信サーバ２０は、検出部１０と表示部３０とに通信可能に接続されている。配信サーバ２０は、検出部１０から出力された検出結果を取得する。配信サーバ２０は、検出結果に基づいて、表示部３０に車両を誘導するための表示内容を表示させる。
【００２４】
配信サーバ２０は、必ずしも駐車場に設置されていなくてもよく、駐車場と離れた遠隔地から通信回線を通じて検出部１０や表示部３０と通信するものであってもよい。配信サーバ２０は、判定部２２と、選択部２４とを備える。
【００２５】
判定部２２は、例えば、検出部１０の検出結果に基づいて駐車場が混雑状態であるか否かを判定する。ここで、車両の混雑とは、例えば、少なくとも下記(1)−(3)の状態をいう。（１）駐車場内または駐車場入口において、駐車するために通行または停車している車両が所定台数以上存在している状態。言い換えれば、駐車スペースに駐車されていない車（これから駐車する車等）が多い状態。（２）駐車場内の駐車スペースに所定の駐車率以上で車両が駐車している状態。（３）駐車場入口から駐車場内に入る、単位時間当たりの車の台数が多い状態。
【００２６】
判定部２２は、例えば（１）の状態を判定するため、駐車場入口に設置された第１センサ１２により検出された車両の検出結果に基づいて、所定台数（例えば、３台）以上の連続した車両を検出した場合、駐車場が混雑状態であると判定する。
【００２７】
判定部２２は、例えば（２）の状態を判定するため、各駐車スペースに設けられた第２センサにより検出された車両の検出結果に基づいて、駐車率が所定値以上の場合、駐車場が混雑状態であると判定する。
【００２８】
この他、判定部２２は（３）の状態を判定するため、第１センサ１２により検出された車両の検出結果に基づいて、駐車場入口から駐車場内に入る単位時間当たりの車の台数が所定台数以上の場合、駐車場が混雑状態であると判定してもよい。
【００２９】
選択部２４は、車両を駐車場内において渋滞が生じないように誘導するために、複数の空車スペースの中から適切な空車スペースを選択する。駐車場の利用者は、自己の利便性を追求して施設入口から近い位置の駐車スペースを望むことが多い。施設入口とは、例えば、駐車場の駐車場入口と異なる位置に設けられた施設に通じる通路や入口設備である。しかし、施設入口に近い位置から空車スペースを選択して誘導すると、施設入口付近の駐車スペースに車両が集中して渋滞を生じさせる可能性がある。
【００３０】
ところが、交通渋滞を考慮し、単に駐車場の奥側から駐車させるような誘導をすると、例えば、施設入口から遠い駐車スペースが誘導される等の事態が発生する場合があり、利用者の利便性が低下する。そこで、選択部２４は、利用者の利便性と渋滞の抑制とのバランスに基づいて空車スペースを選択する。
【００３１】
選択部２４は、例えば、判定部２２により駐車場が混雑状態であると判定された場合、複数の駐車ブロックに設けられた複数の車両通路の中から一つの車両通路を選択する。選択部２４は、例えば、施設入口から近い順に車両通路を選択する。
【００３２】
次に、選択部２４は、選択した車両通路に接続する複数の空車スペースの中から車両の進行方向に向かって奥側から車両を駐車させる空車スペースを選択する。選択部２４の詳細な処理については後述する。
【００３３】
配信サーバ２０は、選択した空車スペースの画像を表示部３０に表示させる。表示部３０は、後述のように、空車スペースの内から既に算出した優先順位に従って上位３か所の空車スペースをマーキングする映像コンテンツを表示する。
【００３４】
表示部３０は、例えば、第１表示部３２と、第２表示部３４とを備える。第１表示部３２は、例えば、駐車場の入口付近に設置され、車両が駐車場に入場した際に、空車スペースの情報を表示し、ドライバーに対して視覚的な誘導を行う（図２参照）。
【００３５】
第２表示部３４は、例えば、駐車場内の車両通路において車両が駐車場内を一周して入口に戻る位置においてドライバーが視認可能な位置に設置される（図２参照）。第２表示部３４には、ドライバーが誘導された駐車スペースを通過した場合や、誘導された駐車スペースに他車が駐車してしまった場合、ドライバーが再度駐車スペースに駐車するための情報が表示される。
【００３６】
第１表示部３２および第２表示部３４は、例えば、駐車場内における駐車スペースへの誘導情報等の表示対象を表示するディスプレイ装置である。表示部３０は、は、例えば、液晶ディスプレイ、ＬＥＤ（Light Emitting Diode）ディスプレイ、有機ＥＬ（Organic Electro-Luminescence）ディスプレイ、電光掲示板等の表示装置が用いられる。
【００３７】
次に、駐車場誘導システム１の具体的な動作について説明する。駐車場には多種多様なレイアウトが想定される。以下に示す駐車場のレイアウトおよび各装置の配置関係の一例を前提にして駐車場誘導システム１の動作を説明する。
【００３８】
図２に示されるように、駐車場Ｐは、多数の駐車スペースＳを含む複数の駐車ブロックが区画されている。本実施形態において、車両通路Ｒからアクセスする多数の駐車スペース群を駐車ブロックの単位として定義し、５つの駐車経路に対応して駐車ブロックＢ１〜Ｂ５が設定されている。
【００３９】
車両通路Ｒは、例えば、各駐車ブロックにおいて一方通行で設定されている。車両通路Ｒは、両方向に通行可能に設定されていてもよい。その場合車両通路Ｒは、通行方向毎に定義される。車両通路Ｒの通行方向、レイアウトは、駐車場Ｐ内の交通を円滑にするために駐車場Ｐのレイアウトに合わせて設定される。
【００４０】
各駐車スペースＰｎ（ｎ：自然数）には、施設入口Ｅからの距離に応じて番号が付与されている。図３に示されるように、配信サーバ２０の記憶装置（不図示）には、各駐車スペースＰｎ、駐車ブロック、平常時（混雑状態でない状態）の優先順位、混雑時の優先順位、車両の有無等の情報が対応付けられたテーブルＴが設定されている。テーブルＴは、検出部１０により、検出結果に基づいて、駐車場Ｐの駐車状況によって車両の有無の情報が所定のタイミングで常時更新される。
【００４１】
図４に示されるように、平常時のテーブルＴにおける優先順位は、例えば、テーブルＴに各駐車スペースＰｎと施設入口Ｅとの間の距離データを追加したテーブルＴ１を用いて算出される。
【００４２】
判定部２２は、検出部１０の検出結果を反映したテーブルＴを参照して、駐車場Ｐが混雑状態であるか否かを判定する。判定部２２は、第１センサ１２の検出結果に基づいて、駐車場の入口Ｉが混雑しているか否かを判定する。判定部２２により駐車場の入口Ｉが混雑していないと判定された場合、選択部２４は、平常時の誘導処理を開始する。
【００４３】
選択部２４は、平常時の誘導処理においてテーブルＴを参照して、表示部３０に推奨する車両が駐車されていない駐車スペースＰｎ（空車スペース）の中から優先順位の高い上位の３か所の空車スペースを抽出する。即ち、選択部２４は、平常時に施設入口Ｅに近い方から空車スペースを選択する。
【００４４】
図２の例では、施設入口Ｅと各駐車スペースＰｎとの間の距離が等しい値となっている箇所があるが、この場合はどちらを高位に設定してもよい。本実施形態では、各駐車スペースＰｎに割り当てたナンバーの値が小さい方を高位として設定している。
【００４５】
選択部２４は、３か所の空車スペースをマーキングする映像コンテンツ（表示内容）のデータを生成し、第１表示部３２および第２表示部３４に送信する。第１表示部３２および第２表示部３４は、表示内容のデータを受信し、所定数の空車スペースの映像コンテンツ（画像）を表示してドライバーに対して視覚的な誘導を行う。
【００４６】
駐車スペースＰｎの空き状態は、常時変動しているので、第１表示部３２および第２表示部３４に表示された３つの駐車スペースＰｎ（空車スペース）のうち、１つ以上の駐車スペースＰｎに車両が駐車された場合、選択部２４は、再度テーブルＴを参照し、残りの駐車スペースの中から優先順位の高い順に３箇所の駐車スペースを選択する。
【００４７】
選択部２４は、選択した空車スペースの情報を第１表示部３２および第２表示部３４に表示させ、車両を誘導する。
【００４８】
このような処理を行っている間においても、第１センサ１２の検出結果による入口Ｉの混雑状態は、判定部２２により常時判定されている。更に、第２センサ１４の検出結果による駐車スペースＰｎの混雑状態は、判定部２２により常時判定されている。
【００４９】
判定部２２は、第２センサ１４の出力値に基づいて、各駐車スペースＰｎにおける車両の有無の情報を取得する。そして、判定部２２は、取得した情報に基づいて、駐車スペースＰｎの駐車率を演算し、駐車スペースＰｎの駐車率を演算する。
【００５０】
判定部２２により入口Ｉまたは駐車スペースＰｎが混雑状態であると判定された場合、選択部２４は、空車状況は保存しつつ、作成途中もしくは配信準備している誘導処理のコンテンツは破棄して、強制的に混雑時の誘導処理を開始する。
【００５１】
まず、選択部２４は、駐車場内の各車両通路を駐車ブロック毎に分ける処理を行う。選択部２４は、例えば、テーブルＴ（図３参照）を参照し、各駐車スペースＰｎのグループ分けを行う。各駐車スペースＰｎの属するグループは、例えば、各駐車スペースＰｎに番号を付与する際に、各車両通路の位置との関連に基づいて予め設定される。設定されたグループは、テーブルＴに記録されている。
【００５２】
次に、選択部２４は、テーブルＴを参照し、各駐車ブロックに平常時の優先順位に基づいた序列を設定する。選択部２４は、平常時の優先順位をテーブルＴ１（図４参照）に基づいて施設入口までの距離によって算出する。優先順位が1位の駐車スペースが含まれる車両通路Ｒは、平常時において優先順位が最も高い通路であると想定される。
【００５３】
選択部２４は、各駐車ブロックＢ内の駐車スペースＰｎの中から、平常時の優先順位が最も高い駐車スペースＰｎの順位を駐車ブロックＢ１〜Ｂ５の中で比較する。但し、優先順位が高いとは番号が小さいことをいう。
【００５４】
選択部２４は、駐車ブロックＢ１を除いて残りの駐車ブロックＢ２〜Ｂ５に同様の処理を実施し、次に施設入口Ｅに近い通路を算出する処理を最後まで行う。
【００５５】
選択部２４は、駐車ブロック内に含まれる駐車スペースの内、優先順位が最も高い駐車スペースの優先順位を各駐車ブロックの代表的な優先順位として各駐車ブロックに順位付けする。そのような順位付けによれば、駐車ブロックＢ１：１位、駐車ブロックＢ２：１７位、駐車ブロックＢ３：３３位、駐車ブロックＢ４：４９位、駐車ブロックＢ５：５６位となる。選択部２４は、駐車ブロックＢ１、駐車ブロックＢ２、駐車ブロックＢ３、駐車ブロックＢ４、駐車ブロックＢ５の順に各駐車ブロックを順位付けする。
【００５６】
このような処理により、選択部２４は、混雑時の処理において、複数の駐車ブロックＢ１〜Ｂ５を、施設入口Ｅから距離が近い順に順位付けし、順位に従って駐車ブロックを選択する。選択部２４は、この序列を作成した後、混雑時の処理に用いられる各駐車ブロックＢ１〜Ｂ５内にある駐車スペースＰｎの優先順位を算出する。選択部２４は、混雑時の優先順位を例えば、駐車場入口から各駐車スペースから駐車場入口までの経路に沿った距離が長いものが高くなる順に設定する（図４参照）。
【００５７】
具体的には、各駐車ブロックＢ１〜Ｂ５内において、選択部２４は、車両通路の進行方向に向かって奥側の駐車スペースＰｎから優先順位が高くなるように優先順位を順位付けする。即ち、選択部２４は、各駐車ブロックＢ１〜Ｂ５において、駐車場Ｐの最も奥に位置する駐車スペースを最高位の優先順位に設定する。
【００５８】
選択部２４は、駐車場が混雑状態である場合、複数の車両通路に応じた複数の駐車ブロックのうち、空車スペースを有し、かつ、施設入口Ｅにより近い駐車ブロックである駐車ブロックにおいて、車両通路の進行方向に向かって奥側から空車スペースを選択する。
【００５９】
通常時の誘導処理において、駐車場全体の全ての駐車スペースＰｎに対して１〜６２まで優先順位を算出しているのに対して、上述した混雑時の誘導処理は、駐車スペースＰｎの混雑状態に応じて各駐車ブロックＢ１〜Ｂ５内において１〜ｍ（ｍは、誘導する空車スペースの数）までの優先順位を算出しているため、処理が低減される。
【００６０】
このような処理により、選択部２４は、駐車ブロックＢ１の中だけで所定数の空車スペースを表示する映像コンテンツ（画像）を作成し、表示部３０に配信を行う。所定数とは、優先順位に従った上位３つ空車スペースの数である。
【００６１】
駐車ブロックＢ１は、施設入口Ｅに最も近い通路であるが、駐車ブロックＢ１内で平常時の優先順位が下位である駐車スペースと、駐車ブロックＢ２内で同じ優先順位が高位である駐車スペースとの施設入口Ｅまでの距離を比較するとその差において大差はない。そのため、駐車ブロックＢ１に誘導された車両が集中している場合、駐車ブロックＢ２においては駐車ブロックＢ１に比して比較的スムーズに駐車できる可能性が高い。
【００６２】
そこで、駐車ブロックＢ１内の空車スペースの数が駐車ブロックの駐車スペースＰｎの数に比して基準（１／２）以下になった場合、選択部２４は、駐車ブロックＢ１の優先順位が上位から所定数（例えば３つ）の空車スペースを抽出する処理に加え、駐車ブロックにおける優先順位が次に高い駐車ブロックＢ２の上位から３つの空車スペースを誘導対象に加える処理を行う。基準の値や所定数は、適宜変更されてもよい。
【００６３】
このように、選択部２４は、誘導する対象の空車スペースを計６箇所表示する映像コンテンツを作成し、表示部３０に表示させて車両を誘導する結果、駐車場Ｐにおける渋滞を緩和することができる。
【００６４】
選択部２４は、表示部３０に表示中の空車スペースが埋まった場合、新たに映像コンテンツを生成するにあたり、上述したように優先順位が最高位の駐車ブロックの中から更に優先順位に基づいて空車スペースの抽出を行う。このとき、選択部２４は、最高位の駐車ブロックが既に満車である場合、次位の駐車ブロックの空車スペースから抽出する。
【００６５】
表示部３０に誘導表示される空車スペースの最大数は、多過ぎるとドライバーがどのスペースに駐車すれば良いか困惑する可能性がある。そのため、例えば、空車スペースの表示数を最大６箇所と定めて駐車ブロックＢ１に続き駐車ブロックＢ２の空車スペースの数が１／２となっても、選択部２４は、空車スペースの表示数の拡大は行わないように処理を続行する。
【００６６】
即ち選択部２４は、（第１の）駐車ブロックＢ１において、空車スペースの数が基準以下の場合、駐車ブロックＢ１の中から所定数より少ない数の空車スペースを選択すると共に、駐車ブロックＢ１とは異なる駐車ブロックＢ２の中から残りの数の空車スペースを選択する。
【００６７】
また、この処理は一時的な混雑に対応する処理であるため、第１センサ１２の検出結果に基づいて、駐車場入口で連続している車両が３台以下であると判定部２２により判定された場合、選択部２４は、直ちに通常時の誘導処理を開始する。
【００６８】
次に、駐車場Ｐが混雑状態の場合、選択部２４において実行される駐車ブロックを分ける処理について説明する。まず駐車ブロック分けを実施する際、１つの車両通路の始点から終点までに車両通路に接続する多数の駐車スペースＰｎを含む領域を一つの駐車ブロックとして定義される。駐車ブロックは、例えば、計５つ設定される（図２参照）。
【００６９】
混雑状態における誘導処理において、選択部２４は、優先順位の序列の高い駐車ブロックＢ１の車両通路Ｒ１に対して、駐車場の入口Ｉからの経路に沿った距離の長い駐車スペースＰｎを抽出する。これにより、駐車場誘導システム１は、駐車場内での渋滞を緩和しつつ、施設入口Ｅにできるだけ近い駐車スペースに車両を誘導できる。
【００７０】
次に、上述したように、駐車場の入口Ｉから連続する３台の車両が入場した後の駐車場誘導システム１の処理について説明する。上記条件に加えて、これらの３台の車両より先に駐車場Ｐ内において駐車している車両も存在し、駐車場Ｐ内は程よく混雑した状態となっているものとする。
【００７１】
図５に示されるように、これらの３台の入場以前の駐車場Ｐの混雑状況は、テーブルＴに記録されている。図６に示されるように、選択部２４は、テーブルＴを参照し、駐車場Ｐの駐車スペースＰｎの状態の情報を取得する。
【００７２】
上記の状況から、選択部２４は、テーブルＴを参照し、まず駐車ブロックにおける優先順位の序列において最高位である駐車ブロックＢ１を選択する。
【００７３】
選択部２４は、例えば、駐車ブロックＢ１の空車スペースの中から優先順位に基づいて、上位３箇所の駐車スペースＰ１３，Ｐ１４，Ｐ５を抽出する。図７に示されるように、選択部２４は、駐車スペースＰ１３，Ｐ１４，Ｐ５が強調された誘導用の映像コンテンツＩＭを作成し、表示部３０に表示させる。
【００７４】
この後、誘導された３台の車両は、駐車場Ｐに入場し、映像コンテンツＩＭに表示された駐車スペースＰ１３，Ｐ１４，Ｐ５に向かって進行する。このとき、選択部２４は、例えば、駐車ブロックＢ１において、３台連なる車両の先頭車両が奥側の駐車スペースＰ１３から駐車するように駐車スペースＰ１３においてランプを点灯させる等の誘導処理を行わせてもよい。
【００７５】
選択部２４は、例えば、先頭車両が駐車スペースＰ１３に駐車した後、同様に、次の後続車両が奥側の駐車スペースＰ１４から駐車するように駐車スペースＰ１４においてランプなどの誘導灯を点灯させる等の誘導処理を行わせてもよい。
【００７６】
仮に、上記のような処理を行わずに混雑時の優先順位を、単純に、駐車場入口からの経路に沿った距離の長い方から高い順位をつける方法を用いて算出した場合、車両は、例えば、駐車ブロックＢ３の中から、駐車スペースＰ４８や駐車スペースＰ４０等に誘導される。
【００７７】
このような誘導処理によれば、例えば、駐車ブロックＢ１の駐車スペースに空車スペースがあったとしても画一的に行われ、車両が駐車ブロックＢ１の駐車スペースに誘導されることはない。
【００７８】
この他、仮に図６の混雑時の優先順位を、施設入口Ｅからの経路に沿った距離の短い方から高い順位をつける方法を用いて算出した場合、車両は、例えば、駐車ブロックＢ１の中から、駐車スペースＰ２，Ｐ７，Ｐ８等に誘導される。例えば、前を走行する車両が駐車スペースＰ２に駐車のための操作を行っている間に後続の車両が待機するため、渋滞が発生する可能性がある。
【００７９】
一方、駐車場誘導システム１によれば、駐車ブロックに順位を付けて処理を行い、更に施設入口Ｅに近い駐車ブロックＢ１等の中でも、奥から詰めて駐車するように空きスペースを選択する処理を行うことができる。その結果、駐車場誘導システム１によれば、駐車場Ｐが混雑状態となっても、駐車場内での渋滞を緩和しつつ、利用者にとって利便性の高い施設入口Ｅに近い駐車スペースに車両を誘導することができる。
【００８０】
図８及び図９に示されるように、３台の車両が空車スペースに駐車した状態の後の処理について説明する。例えば、第１センサ１２により５台の連続した車両が検出され、判定部２２により混雑状態にあると判定された場合、選択部２４は、検出された車両の台数に応じて以下の処理を行う。選択部２４は、上述したように、駐車スペースの優先順位に基づいて、駐車ブロックＢ１を選択する。
【００８１】
選択部２４は、駐車ブロックＢ１において、空車スペースの数が駐車スペースの数の基準以下の場合、他の駐車ブロックに分散させて駐車させるよう次の順位の駐車ブロックＢ２を選択し、駐車ブロックＢ２の中から分散させる空きスペースを選択する。
【００８２】
選択部２４は、例えば、最初に選択した駐車ブロックＢ１において、空車スペースの数が駐車スペースの数に比して基準以下の場合、駐車ブロックＢ１の中から所定数より少ない数の空車スペースを選択すると共に、次の順位の駐車ブロックの中から残りの数の空車スペースを選択する。
【００８３】
この状況では駐車ブロックＢ１の空車スペースの数が駐車スペースの数の基準（例えば、１／２の数）を下回っているので、選択部２４は、例えば、駐車ブロックＢ１から所定数の半分の上位３箇所の空車スペースを選択し、駐車ブロックＢ２から上位３箇所の空車スペースを選択する。
【００８４】
図１０に示されるように、表示部３０は、選択された計６箇所の空車スペースの映像コンテンツＩＭを表示する。
【００８５】
駐車ブロックＢ１は施設入口Ｅに最も近い通路であるが駐車スペースには限りがあるため、駐車ブロックＢ１の車両通路Ｒ１の始点付近で駐車すると混雑となる可能性がある。従って、選択部２４は、駐車ブロックＢ２に車両を分散させることで駐車場Ｐにおいて渋滞が発生することを防いでいる。
【００８６】
結果的に、駐車場入場から施設入口入場に至るまでの時間を考慮すれば、駐車ブロックＢ１で前方車両の駐車を待つ時間を取られることより、少し距離が離れた駐車ブロックに車両を分散させた方がスムーズに駐車が可能となり、利用者の駐車に要する時間が短縮される。
【００８７】
次に、駐車場誘導システム１において実行される処理の流れについて説明する。図１１は、駐車場誘導システム１において実行される処理の流れの一例を示すフローチャートである。
【００８８】
選択部２４は、テーブルＴを参照して駐車スペースＰｎの優先順位を取得する（ステップＳ１００）。検出部１０は、駐車場Ｐを利用する車両の台数を検出する（ステップＳ１０２）。判定部２２は、検出部１０の検出結果に基づいて、駐車場Ｐが混雑状態であるか否かを判定する（ステップＳ１０４）。
【００８９】
ステップＳ１０４で否定的な判定を得た場合、選択部２４は、優先順位に従って空車スペースを選択する（ステップＳ１０６）。表示部３０は、空車スペースに誘導する表示内容を表示する（ステップＳ１０８）。ステップＳ１０８の後、処理はステップＳ１０２に戻される。ステップＳ１０４で肯定的な判定を得た場合、選択部２４は、複数の駐車スペースを車両通路毎に駐車ブロックに分ける（ステップＳ１１０）。
【００９０】
選択部２４は、優先順位に基づいて、駐車ブロックの順位を決定する（ステップＳ１１２）。選択部２４は、駐車ブロックの順位に応じて駐車ブロックを選択する（ステップＳ１１４）。選択部２４は、選択した駐車ブロックの空車スペースの数が基準以上か否かを判定する（ステップＳ１１６）。
【００９１】
ステップＳ１１６で肯定的な判定を得た場合、選択部２４は、最初に選択した駐車ブロックから３箇所の空車スペースを選択する（ステップＳ１１８）。ステップＳ１１８の後、処理はステップＳ１２２に進められる。
【００９２】
ステップＳ１１６で否定的な判定を得た場合、選択部２４は、最初に選択した駐車ブロックから３箇所の空車スペースを選択し、次の順位の駐車ブロックから３箇所の空車スペースを選択する（ステップＳ１２０）。表示部３０は、空車スペースに誘導する表示内容を表示する（ステップＳ１２２）。
【００９３】
判定部２２は、第２センサ１４の出力値に基づいて、表示中の駐車スペースが埋まったか否かを判定する（ステップＳ１２４）。ステップＳ１２４で肯定的な判定を得た場合、処理はステップＳ１１４に戻される。ステップＳ１２４で否定的な判定を得た場合、判定部２２は、検出部１０の出力値に基づいて、駐車場Ｐの混雑が続いているか否かを判定（ステップＳ１２６）。
【００９４】
ステップＳ１２６で肯定的な判定を得た場合、処理はステップＳ１１４に戻される。ステップＳ１２６で否定的な判定を得た場合、処理はステップＳ１０２に戻される。
【００９５】
上述した判定部２２および選択部２４の各構成要素は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置に格納されていてもよいし、ＤＶＤやＣＤ−ＲＯＭなどの着脱可能な記憶媒体に格納されており、記憶媒体がドライブ装置に装着されることでインストールされてもよい。また、このコンピュータプログラムを通信回線によってコンピュータに配信し、この配信を受けたコンピュータが当該プログラムを実行するようにしても良い。
【００９６】
即ち、配信サーバ２０において実行されるプログラムは、
駐車場を利用する車両を検出し、
検出結果に基づいて、前記駐車場が混雑状態であるか否かを判定し、
前記駐車場が混雑状態であると判定した場合、複数の車両通路に応じた複数の駐車ブロックのうち、空車スペースを有し、かつ、前記駐車場の駐車場入口と異なる位置に設けられた施設入口により近い駐車ブロックである第１の駐車ブロックにおいて、前記車両通路の進行方向に向かって奥側から空車スペースを選択し、
選択した所定数の前記空車スペースを示す画像を表示する、
処理を配信サーバ２０に搭載されるコンピュータに実行させる。
【００９７】
上述したように、駐車場誘導システム１によれば、利用者の利便性を向上させるとともに、駐車場内での混雑を緩和させることができる。駐車場誘導システム１によれば、駐車場のリアルタイムの混雑状態の変化に応じて利用者の利便性と渋滞の緩和とが比較考量された車両の誘導を行うことができる。
【００９８】
なお、本発明は、上述の実施形態に限定されるものではなく、本発明の目的を達成できる範囲での変形、改良等は本発明に含まれるものである。例えば、先述した優先順位の定義は、施設入口からの距離だけでなく、例えば駐車場出口からの距離に基づいて設定してもよい。この他、施設入口から近い場所から駐車させることではなく、駐車場奥の方から詰めて駐車させる処理を行わせるように変更してもよい。
【符号の説明】
【００９９】
１…駐車場誘導システム
１０…検出部
１２…第１センサ
１４…第２センサ
２０…配信サーバ
２２…判定部
２４…選択部
３０…表示部
３２…第１表示部
３４…第２表示部
Ｂ、Ｂ１〜Ｂ５…駐車ブロック
Ｅ…施設入口
ＩＭ…映像コンテンツ
Ｐ…駐車場
ＰＣ…パーソナルコンピュータ
Ｐｎ…駐車スペース
Ｒｎ…車両通路
Ｓ…駐車スペース
Ｔ、Ｔ１…テーブル
【図１】
0006961828.tif 000002
【図２】
0006961828.tif 000003
【図３】
0006961828.tif 000004
【図４】
0006961828.tif 000005
【図５】
0006961828.tif 000006
【図６】
0006961828.tif 000007
【図７】
0006961828.tif 000008
【図８】
0006961828.tif 000009
【図９】
0006961828.tif 000010
【図１０】
0006961828.tif 000011
【図１１】
0006961828.tif 000012